(57)【特許請求の範囲】
【請求項１】
商品収納庫を左右方向に並んだ複数の収納室に仕切るための自動販売機の庫内仕切板であって、
断熱性を有するとともに、予め縦長矩形状に成形された基材、およびこの基材の表面に積層された防湿層を有する仕切板本体と、
断面コ字状に形成され、前記仕切板本体の上端縁部、下端縁部、前端縁部および後端縁部に嵌め込まれた状態でそれぞれ取り付けられた上枠部、下枠部、前枠部および後枠部を有し、前記前枠部に前方に開口する断面Ｃ字状の嵌合溝が形成された補強枠と、
断面が蟻ほぞ状に形成された取付部を有し、当該取付部が前記前枠部の前記嵌合溝に差し込まれた状態で前記補強枠に取り付けられたパッキンと、
を備えていることを特徴とする自動販売機の庫内仕切板。
【請求項２】
前記基材は、硬質ウレタンフォームからなることを特徴とする請求項１に記載の自動販売機の庫内仕切板。
【請求項３】
前記防湿層は、板状または膜状の金属を有していることを特徴とする請求項１または２に記載の自動販売機の庫内仕切板。
【請求項４】
商品収納庫を左右方向に並んだ複数の収納室に仕切るための自動販売機の庫内仕切板の製造方法であって、
所定の材料から、断熱性を有する縦長矩形状の基材を成形する成形工程と、
この成形工程によって得られた前記基材の表面に、防湿層を積層することによって、仕切板本体を作製する積層工程と、
断面コ字状に形成された上枠部、下枠部、前枠部および後枠部を有し、前記前枠部に前方に開口する断面Ｃ字状の嵌合溝が形成された補強枠を、前記上枠部、前記下枠部、前記前枠部および前記後枠部を前記仕切板本体の上端縁部、下端縁部、前端縁部および後端縁部にそれぞれ嵌め込むことによって取り付ける補強枠取付工程と、
断面が蟻ほぞ状に形成された取付部を有するパッキンを、前記取付部を前記前枠部の前記嵌合溝に差し込むことによって、前記補強枠に取り付けるパッキン取付工程と、
を備えていることを特徴とする自動販売機の庫内仕切板の製造方法。
【請求項５】
前記基材は、硬質ウレタンフォームからなることを特徴とする請求項４に記載の自動販売機の庫内仕切板の製造方法。
【請求項６】
前記防湿層は、板状または膜状の金属を有していることを特徴とする請求項４または５に記載の自動販売機の庫内仕切板の製造方法。
【発明の詳細な説明】
【０００１】
【発明の属する技術分野】
本発明は、自動販売機内の商品収納庫を複数の収納室に仕切る庫内仕切板およびその製造方法に関し、特に商品収納庫を冷却室と加温室とに仕切るのに好適な自動販売機の庫内仕切板およびその製造方法に関する。
【０００２】
【従来の技術】
図３は、この種の従来の自動販売機の庫内仕切板を示している。この庫内仕切板２１は、縦長矩形状の２枚の金属板（鉄板）２２、２２の間に、断熱材としての硬質ウレタンフォームを介在させて構成されている。この場合、金属板２２、２２は、庫内仕切板２１の表面に結露によって水滴がついても、その水滴が硬質ウレタンフォームに浸入することによる断熱性の低下を防止するための防湿層としても機能する。その結果、この庫内仕切板２１は、自身に要求される機能である断熱性および防湿性を有するものとなっている。
【０００３】
この庫内仕切板２１は、次のようにして製造される。すなわち、まず、２枚の金属板２２、２２を、互いに所定間隔をあけた状態で重ね合わせるとともに、これらの金属板２２、２２の四周縁部間にシール２３を取り付ける。次いで、両金属板２２、２２およびシール２３で囲まれたスペース２４に、このスペース２４に開口するウレタン注入口２５を介して、外部から液体状のウレタンを充填する。その後、このウレタンを発泡させることにより、スペース２４全体に硬質ウレタンフォームを形成するとともに、両金属板２２、２２の所定の長辺部分、すなわち庫内仕切板２１を商品収納庫（図示せず）の内部に取り付けたときに前側になる長辺部分の全体にわたり、ゴムなどからなるパッキン２６を取り付ける。これにより、庫内仕切板２１が完成する。
【０００４】
このようにして製造された庫内仕切板２１は、図示しない取付金具によって、商品収納庫内を左右に仕切るように、これに取り付けられる。より具体的には、商品収納庫内の天井面、背面および底面にわたり、庫内仕切板２１を取り付けるべき位置に、庫内仕切板２１の厚みとほぼ同じ幅を有する隔壁シール２７が側断面コ字状に取り付けられ、この隔壁シール２７に、庫内仕切板２１が押し当てられた状態で商品収納庫内に取り付けられる。このような庫内仕切板２１が、商品収納庫内に例えば１枚取り付けられた場合、その商品収納庫の前面が図示しない断熱ドアによって閉鎖されると、この断熱ドアの背面に庫内仕切板２１の前端のパッキン２６が当接し、これにより、商品収納庫内には、いずれも気密状態の２つの収納室が形成される。そして、これらの収納室に冷却装置および加温装置をそれぞれ設置することによって、２つの収納室をそれぞれ冷却室および加温室とし、例えば冷却室には清涼飲料水などの冷却商品が、加温室には缶コーヒーなどの加温商品が収納される。
【０００５】
【発明が解決しようとする課題】
上述したように、上記庫内仕切板２１を製造する場合には、その製造時に、両金属板２２、２２間のスペース２４にウレタンを注入し、これを発泡させるので、庫内仕切板２１の製造に手間がかかり、コスト高の一因となっている。加えて、金属板２２には、ウレタンの発泡に耐え得るようにするとともに、庫内仕切板２１としての強度を確保するために、ある程度の厚みが必要であり、このため、金属板２２がコスト高になるとともに、庫内仕切板２１自体が重くなってしまう。また、上記のように製造された庫内仕切板２１では、製造時のウレタンの発泡による自己接着性によって、両金属板２２、２２と硬質ウレタンフォームが互いに強固に接着する。このため、庫内仕切板２１のリサイクル時などにおいて、金属板２２と硬質ウレタンフォームとの分解作業が非常に煩雑となるという問題もある。
【０００６】
本発明は、以上のような課題を解決するためになされたものであり、効率よく低コストで製造することができるとともに、リサイクル時などに、容易に分解することができる自動販売機の庫内仕切板およびその製造方法を提供することを目的とする。
【０００７】
【課題を解決するための手段】
本発明に係る自動販売機の庫内仕切板は、商品収納庫を左右方向に並んだ複数の収納室に仕切るための自動販売機の庫内仕切板であって、断熱性を有するとともに、予め縦長矩形状に成形された基材、およびこの基材の表面に積層された防湿層を有する仕切板本体と、断面コ字状に形成され、仕切板本体の上端縁部、下端縁部、前端縁部および後端縁部に嵌め込まれた状態でそれぞれ取り付けられた上枠部、下枠部、前枠部および後枠部を有し、前枠部に前方に開口する断面Ｃ字状の嵌合溝が形成された補強枠と、断面が蟻ほぞ状に形成された取付部を有し、取付部が前枠部の嵌合溝に差し込まれた状態で補強枠に取り付けられたパッキンと、を備えていることを特徴とする。
【０００８】
また、本発明に係る自動販売機の庫内仕切板の製造方法は、商品収納庫を左右方向に並んだ複数の収納室に仕切るための自動販売機の庫内仕切板の製造方法であって、所定の材料から、断熱性を有する縦長矩形状の基材を成形する成形工程と、この成形工程によって得られた基材の表面に、防湿層を積層することによって、仕切板本体を作製する積層工程と、断面コ字状に形成された上枠部、下枠部、前枠部および後枠部を有し、前枠部に前方に開口する断面Ｃ字状の嵌合溝が形成された補強枠を、上枠部、下枠部、前枠部および後枠部を仕切板本体の上端縁部、下端縁部、前端縁部および後端縁部にそれぞれ嵌め込むことによって取り付ける補強枠取付工程と、断面が蟻ほぞ状に形成された取付部を有するパッキンを、取付部を前枠部の嵌合溝に差し込むことによって、補強枠に取り付けるパッキン取付工程と、を備えていることを特徴とする。
【０００９】
上記庫内仕切板の構成およびその製造方法によれば、所定の材料から、断熱性を有する縦長矩形状の基材を予め成形し、この基材の表面に防湿層を積層することによって、仕切板本体を作製する。これにより得られた仕切板本体は、庫内仕切板として要求される機能、すなわち断熱性および防湿性を有したものとなる。また、仕切板本体を作製する際、予め成形された基材を用いるので、従来と異なり、製造現場での発泡作業などが不要となり、例えば、押出加工などによって大量生産された市販の基材を利用することも可能となり、その結果、庫内仕切板を効率よく低コストで製造することができる。さらに、防湿層は、基材の表面に積層して設けられるので、例えばその積層を、接着剤などを用いた接着により行うことによって、従来のウレタンの発泡による自己接着性を利用して接着した場合と異なり、防湿層を基材から容易に剥がすことができる。これにより、庫内仕切板のリサイクル時などにおいて、防湿層と基材との分解作業を容易に行うことが可能となる。また、仕切板本体の周縁部全体に、断面コ字状の上枠部、下枠部、前枠部および後枠部を有する補強枠が取り付けられているので、補強枠によって仕切板本体を補強することができる。
【００１０】
これらの場合、基材は、硬質ウレタンフォームからなることが好ましい。
【００１１】
この構成によれば、基材として、断熱性に優れた硬質ウレタンフォームを用いることにより、庫内仕切板に要求される断熱性を確保することができるとともに、硬質ウレタンフォームの剛性を、庫内仕切板の強度に反映させることができる。
【００１２】
以上の場合、防湿層は、板状または膜状の金属を有していることが好ましい。
【００１３】
この構成によれば、防湿層として、板状または膜状の金属を用いることにより、庫内仕切板に要求される防湿性を確保することができる。また、硬質ウレタンフォームからなる上記基材の構成と相まって、すなわち、防湿層の強度をあまり高くする必要がないことで、金属からなる防湿層を薄くすることができ、その結果、庫内仕切板の軽量化を図ることができるとともに、防湿層を薄くした分、収納室の拡大化を図ることができる。
【００１４】
【発明の実施の形態】
以下、図面を参照しながら、本発明の好ましい実施形態を詳細に説明する。図１および図２は、本発明の一実施形態による自動販売機の庫内仕切板の分解図および組立図をそれぞれ示している。この庫内仕切板１は、図示しない自動販売機内の商品収納庫を、左右に複数の収納室に仕切るものであり、特に商品収納庫を、清涼飲料水などの冷却商品が収納される冷却室と、缶コーヒーなどの加温商品が収納される加温室とに仕切るものである。庫内仕切板１は、縦長矩形状の仕切板本体２と、この仕切板本体２を補強するために、その四周縁部に設けられた補強枠３と、この補強枠３の後述する前枠部１６に取り付けられたパッキン４などにより構成されている。
【００１５】
仕切板本体２は、図１（ｂ）に示すように、断熱性を有する基材として、ある程度の厚みを有するとともに縦長矩形状に形成された硬質ウレタンフォーム１１を備えている。なお、この硬質ウレタンフォーム１１の下角部の一方は、図示しない商品収納庫の前面下端部の形状に嵌るように切り欠かれている。また、この硬質ウレタンフォーム１１の表面、より具体的には、庫内仕切板１を商品収納室に取り付けたときに冷却室および加温室にそれぞれ面する表面（以下、これらの表面を合わせて「表裏面」という）には、図１（ｂ）に示すように、防湿紙１２およびアルミ箔１３が順に積層された防湿層１０が設けられている。
【００１６】
この防湿紙１２は、硬質ウレタンフォーム１１への、結露による水分（水滴）の浸入を防止するとともに、表裏面の温度差による硬質ウレタンフォーム１１の反りを、張力によって防止するためのものである。したがって、庫内仕切板１が商品収納庫内に取り付けられ、冷却室と加温室とを仕切る場合には、硬質ウレタンフォーム１１への水分の浸入を確実に防止することで、硬質ウレタンフォーム１１が水分を吸収することによる庫内仕切板１（硬質ウレタンフォーム１１）の断熱性の低下を生じることなく、庫内仕切板１を、常に、反りのない適正な姿勢に保つことができる。
【００１７】
一方、アルミ箔１３は、防湿紙１２と同様に、硬質ウレタンフォーム１１への水分の浸入を防止することに加えて、硬質ウレタンフォーム１１への空気の透過を防止し、さらに、輻射熱を反射させるとともに仕切板本体２の表裏面をきれいに仕上げるためのものである。したがって、庫内仕切板１が商品収納庫内に取り付けられ、冷却室と加温室を仕切る場合には、冷却室と加温室の間の空気の流れを確実に遮断するとともに、各収納室内での輻射熱を反射することによって、冷却室および加温室の保温性を高めることができる。
【００１８】
補強枠３は、例えば鉄やアルミニウムなどの金属材で構成されており、仕切板本体２の上端縁部、下端縁部、前端縁部および後端縁部にそれぞれ取り付けられる上枠部１４、下枠部１５、前枠部１６および後枠部１７で構成されている。上枠部１４、下枠部１５および後枠部１７はいずれも、断面コ字状に形成されており、仕切板本体２のそれぞれの縁部全体を覆うように、これに嵌め込んで取り付けられるようになっている。加えて、これらの上枠部１４、下枠部１５および後枠部１７は互いに連なり、仕切板本体２の上端縁部、下端縁部および後端縁部の形状および寸法に合わせて、全体がほぼコ字状に形成されている。また、上枠部１４および下枠部１５の前端部には、ねじ孔１４ａ、１５ａがそれぞれ形成されており、補強枠３を仕切板本体２に取り付ける際に、これらのねじ孔１４ａ、１５ａを介して、前枠部１６が上枠部１４および下枠部１５にねじ止めされる。
【００１９】
この前枠部１６には、上述した他の枠部１４、１５、１７と同様に、仕切板本体２の前端縁部を覆った状態で、これに嵌め込むための断面コ字状の凹部１６ａが、前枠部１６に沿って形成されている。加えて、この凹部１６ａと背中合わせにして、パッキン４の後述する取付部４ａに嵌合する、断面Ｃ字状の嵌合溝１６ｂが、前枠部１６に沿って形成されている。また、前枠部１６の両端部にはそれぞれ、前枠部１６を上枠部１４および下枠部１５にねじ止めするための貫通孔１６ｃ、１６ｃが形成されている。
【００２０】
パッキン４は、庫内仕切板１が商品収納庫内に取り付けられ、これを冷却室と加温室に仕切る場合において、商品収納庫の前面が図示しない断熱ドアによって閉鎖されるときに、その断熱ドアの背面に当接することで、庫内仕切板１の前端付近での冷却室および加温室間の空気の流れを遮断するためのものである。このパッキン４は、例えばゴムなどの弾性材からなり、図１（ａ）に示すように、上記前枠部１６よりも若干長くかつ断面が蟻ほぞに形成された取付部４ａと、この取付部４ａと隣合せでかつ断面が環状に形成され、上述した断熱ドアの閉鎖時にこれに当接する当接部４ｂとによって構成されている。なお、このパッキン４を前枠部１６に取り付ける場合には、前枠部１６の嵌合溝１６ｂの一端から、パッキン４の取付部４ａの端部を差し込む。これにより、図２に示すように、パッキン４が前枠部１６にしっかりと取り付けられる。
【００２１】
ここで、庫内仕切板１の製造方法、特に、仕切板本体２の製造方法について説明する。まず、原材料のウレタンを発泡させるとともに、それを、例えば押出加工機を使用して、所望の厚み寸法で押し出しながら、硬質ウレタンフォーム１１を成形する。そして、この硬質ウレタンフォーム１１の表裏面にそれぞれ、防湿紙１２およびアルミ箔１３からなる防湿層１０を積層する。具体的には、硬質ウレタンフォーム１１の表裏面に防湿紙１２をそれぞれ貼付した後、この防湿紙１２の表面に、蒸着によってアルミ箔１３を積層する。なお、防湿紙１２の片面に、蒸着によってアルミ箔１３を積層してから、この防湿層１０を硬質ウレタンフォーム１１の表裏面に貼付してもよい。
【００２２】
仕切板本体２の製造では、硬質ウレタンフォーム１１を所望の寸法に成形してから、その表裏面に防湿層１０を積層する他、押出加工機から硬質ウレタンフォームが押し出されるのと同時に、防湿層１０を積層するようにしてもよい。なおこの場合、防湿層１０が防湿紙１２およびアルミ箔１３で構成されているので、適当な切断機を使用して、表裏面に防湿層１０を有する硬質ウレタンフォーム１１を、所望の寸法に合わせて適宜切断することによって、所望の寸法を有する仕切板本体２を、容易に得ることが可能である。
【００２３】
そして、上記のようにして製造された仕切板本体２に、上記補強枠３を取り付けるとともに、補強枠３の前枠部１６にパッキン４を取り付けて、庫内仕切板１が完成する（図２参照）。この庫内仕切板１を商品収納庫内に取り付ける場合には、その取り付けに先立ち、従来と同様に、庫内仕切板１の厚みとほぼ同じ幅を有する隔壁シール１８を、商品収納庫内の天井面、背面および底面にわたり、庫内仕切板１を取り付けるべき位置に、側断面コ字状に取り付ける。そして、庫内仕切板１を、隔壁シール１８に押し当てた状態で、図示しない取付金具を介して、商品収納庫内に取り付ける。これにより、商品収納庫内を左右２つの収納室に仕切り、例えば、一方の収納室を冷却室として、他方の収納室を加温室として利用することが可能となる。
【００２４】
以上詳述したように、本実施形態の庫内仕切板１およびその製造方法によれば、硬質ウレタンフォーム１１を予め成形し、この硬質ウレタンフォーム１１の表裏面に防湿層１０を積層するので、これにより得られた庫内仕切板１は、庫内仕切板１の機能として要求される断熱性および防湿性を有したものとなる。また、庫内仕切板１の製造において、予め所定形状に成形された硬質ウレタンフォームを用いるので、従来と異なり、製造現場での発泡作業などが不要となり、例えば、押出加工によって大量生産された市販の硬質ウレタンフォームを利用することも可能となり、その結果、庫内仕切板１を効率よく低コストで製造することができる。さらに、防湿層１０は、硬質ウレタンフォーム１１の表裏面に、貼付して積層されるので、従来のウレタンの発泡による自己接着性を利用して接着した場合と異なり、防湿層１０を硬質ウレタンフォーム１１から容易に剥がすことができる。これにより、庫内仕切板１のリサイクル時などにおいて、防湿層１０と硬質ウレタンフォーム１１との分解作業を容易に行うことが可能となる。さらにまた、防湿層１０として、防湿紙１２およびアルミ箔１３を用いるので、従来の鉄板を用いる場合に比べて、庫内仕切板１の軽量化および仕切板本体２の加工性の向上を図ることができるとともに、防湿層を薄くできる分、収納室の拡大化を図ることができる。
【００２５】
なお、本発明は、説明した上記実施形態に限定されることなく、種々の態様で実施することができる。例えば、基材として、硬質ウレタンフォームを用いたが、断熱性およびある程度の剛性を有するものであれば、他の材料を用いてもよい。また、防湿層として、防湿紙およびアルミ箔を用いたが、これに代えて、薄い鉄板などの金属板を用いてもよい。さらに、硬質ウレタンフォームの成形を、押し出し以外の適当な成形方法によって行ってもよい。
【００２６】
また、実施形態で示した庫内仕切板１の細部の構成などは、あくまで例示であり、本発明の趣旨の範囲内で適宜、変更することができる。
【００２７】
【発明の効果】
以上詳述したように、本発明の自動販売機の庫内仕切板およびその製造方法は、庫内仕切板を効率よく低コストで製造することができるとともに、リサイクル時などに、容易に分解することができるなどの効果を有する。
【図面の簡単な説明】
【図１】（ａ）は、本発明の一実施形態による自動販売機の庫内仕切板を示す分解斜視図であり、（ｂ）は、仕切板本体をＡ−Ａ線で切断した一部を示す断面図である。
【図２】図１の庫内仕切板を示す組立斜視図である。
【図３】従来の自動販売機の庫内仕切板を示す斜視図である。
【符号の説明】
１      庫内仕切板
２      仕切板本体
１０    防湿層
１１    硬質ウレタンフォーム
１２    防湿紙
１３    アルミ箔
【図１】
0004026304.tif 000002
【図２】
0004026304.tif 000003
【図３】
0004026304.tif 000004